(57)【要約】【課題】上ハーフの天板に対する下ハーフの底板の傾き角を等間隔に容易に設定することができる設置物据付台を提供する。【解決手段】下ハーフ２１に対してヒンジ軸２２によって上ハーフ２３を往復回動可能に連結する。前記下ハーフ２１に第２ヒンジ軸２５を介して第１〜第５高さ調節レバー２６〜３０を同一軸線上で選択的に往復回動可能に連結する。前記第１〜第５高さ調節レバー２６〜３０の少なくとも第１高さ調節レバー２６を上方に回動してその支持板２６ｃを上ハーフ２３の天板２３ａの下面に接触する。この状態で、天板２３に連結ボルト３４，３５を貫通し、前記第１高さ調節レバー２６の支持板２６ｃを貫通し、該支持板２６ｃに取り付けたナット３２，３３に連結ボルト３４，３５を螺合し、第１高さ調節レバー２６と上ハーフ２３を連結する。【選択図】      図１
2005251005.tif 000002
【特許請求の範囲】
【請求項１】
設置物を支持する設置地盤の設置面に取り付けられる下ハーフと、この下ハーフに対し第１ヒンジ軸を介して上下方向の傾動可能に連結された上ハーフと、この上ハーフの天板に対する下ハーフの底板の傾き角を調節する傾き角調節機構とを備えた設置物据付台において、
前記第１ヒンジ軸とは反対側の下ハーフの端部に対し第２ヒンジ軸を介して高さ寸法の異なる複数の高さ調節部材を、前記第２ヒンジ軸の中心軸線の回りでそれぞれ選択的に回動可能に連結し、少なくとも一つの前記各高さ調節部材の先端の支承部と、前記上ハーフの天板とを連結するための連結手段を設けたことを特徴とする設置物据付台。  
【請求項２】
請求項１において、前記複数の高さ調節部材は、前記第２ヒンジ軸の軸線方向の二箇所において回動可能に支持された一対の脚片と、この脚片の先端部間に架橋された支承部としての支持板とにより構成された凹状の高さ調節レバーであって、各高さ調節レバーは積層可能に構成されていることを特徴とする設置物据付台。
【請求項３】
請求項２において、前記各高さ調節レバーの支持板相互間には積層状態で隙間が形成されるようになっていて、それらの隙間にはスペーサが介在されるようになっていることを特徴とする設置物据付台。
【請求項４】
請求項３において、前記各スペーサには前記連結手段を構成する連結ボルトを貫通させるための係合凹部又は透孔が設けられていることを特徴とする設置物据付台。
【請求項５】
請求項２〜４のいずれか一項において、前記連結手段は、連結ボルトとナットにより構成され、前記ナットは最も高さ寸法の低い高さ調節レバーの支持板の下面に取り付けられ、前記連結ボルトは、上ハーフの天板に形成されたボルト挿通孔及び高さ調節レバーの支持板に形成された透孔又は凹部を貫通して前記ナットに螺合されるようになっていることを特徴とする設置物据付台。
【請求項６】
請求項２〜５のいずれか一項において、各高さ調節レバーの支持板は、横断面が第２ヒンジ軸を中心とする曲率の円弧状に形成されていることを特徴とする設置物据付台。
【発明の詳細な説明】
【技術分野】
【０００１】
本発明は、自動販売機、配電盤等の設置物を設置地盤に支持するのに用いられる設置物据付台に関する。
【背景技術】
【０００２】
例えば、自動販売機をコンクリート製の設置地盤の設置面に据え付ける際に、その設置面が水平面である場合には、設置面の４カ所に埋め込み固定された４本のアンカーボルト及びこれに螺合されるナットによって、非台乗り脚固定金具を前記設置面に固定する。この４個の非台乗り脚固定金具にそれぞれ形成されたボルト挿通孔に対し、自動販売機の底面に螺合して連結されるレべリングボルトよりなる据付脚をそれぞれ貫通して、据付脚の上端の雄ネジ部を自動販売機の底面に螺合固定して、自動販売機の据え付けを行うようになっている。
【０００３】
ところが、設置面が傾斜している場合には、前記非台乗り脚固定金具だけでは自動販売機が傾斜するので、これを水平にするため傾き角を調節可能にした設置物据付台が用いられる。この設置物据付台として、従来、特許文献１に開示されたものが提案されている。
【０００４】
上記の設置物据付台は、図１０に示すように、コンクリート製の設置地盤１１の傾斜設置面に沿って所定位置に取り付けられた下ハーフ６１と、この下ハーフ６１の基端部にヒンジ軸６２を介して上下方向の傾動可能に連結された上ハーフ６３と、上ハーフ６３に対する下ハーフ６１の傾き角を調節する傾き角調節機構とによって構成されている。この傾き角調節機構は次のように構成されている。前記下ハーフ６１の左右両側の側壁（一方のみ図示）には五つの下側調節孔６１ａ〜６１ｅがそれぞれ形成されている。前記上ハーフ６３の周壁の左右両側部にも五つの上側調節孔６３ａ〜６３ｅが形成されている。これら下側調節孔６１ａ〜６１ｅ及び上側調節孔６３ａ〜６３ｅは、いずれもヒンジ軸６２を中心とする円周上に配列されている。三つの下側調節孔６１ａ〜６１ｃ及び上側調節孔６３ａ〜６３ｃは同一の円周上にほぼ等間隔で配列され、残りの二つの下側調節孔６１ｄ，６１ｅと、上側調節孔６３ｄ，６３ｅは別の円周上に配列されている。
【０００５】
このように配列された調節孔のうち下側調節孔６１ａと上側調節孔６３ｃとを同軸に合わせたとき、上ハーフ６３の天板に対する下ハーフ６１の底板の傾き角が０°となるようになっている。又、その余の上下の調節孔同士の組み合わせで、傾き角が８°、１２°、１４°、１５°のいずれかに設定できるようになっている。
【特許文献１】特開２００３−３４６２３３
【発明の開示】
【発明が解決しようとする課題】
【０００６】
ところが、特許文献１に開示された設置物据付台は、下ハーフ６１の側壁と上ハーフ６３の周壁に下側調節孔６１ａ〜６１ｅ、上側調節孔６３ａ〜６３ｅを形成し、同軸に合わせた調節孔に連結ボルトを貫通して連結する構成をとっていた。このため、調節孔の配列パターンが制約され、前述したように傾き角を等間隔の角度に調節することができないという問題があった。
【０００７】
設置物据付台の全体の高さは、自動販売機を安定して支持する観点からすると、なるべく低い方がよい。このように設置物据付台を低く設定した場合には、傾き角の調節範囲が例えば前述したように五段階に限られ、しかも傾き角の不等間隔のばらつきが顕著となる。
【０００８】
本発明は、上記従来の技術に存する問題点を解消して、上ハーフの天板に対する下ハーフの底板の傾き角を等間隔に容易に設定することができる設置物据付台を提供することにある。
【課題を解決するための手段】
【０００９】
上記問題点を解決するために、請求項１に記載の発明は、設置物を支持する設置地盤の設置面に取り付けられる下ハーフと、この下ハーフに対し第１ヒンジ軸を介して上下方向の傾動可能に連結された上ハーフと、この上ハーフの天板に対する下ハーフの底板の傾き角を調節する傾き角調節機構とを備えた設置物据付台において、前記第１ヒンジ軸とは反対側の下ハーフの端部に対し第２ヒンジ軸を介して高さ寸法の異なる複数の高さ調節部材を、前記第２ヒンジ軸の中心軸線の回りでそれぞれ選択的に回動可能に連結し、少なくとも一つの前記各高さ調節部材の先端の支承部と、前記上ハーフの天板とを連結するための連結手段を設けたことを要旨とする。
【００１０】
請求項２に記載の発明は、請求項１において、前記複数の高さ調節部材は、前記第２ヒンジ軸の軸線方向の二箇所において回動可能に支持された一対の脚片と、この脚片の先端部間に架橋された支承部としての支持板とにより構成された凹状の高さ調節レバーであって、各高さ調節レバーは積層可能に構成されていることを要旨とする。
【００１１】
請求項３に記載の発明は、請求項２において、前記各高さ調節レバーの支持板相互間には積層状態で隙間が形成されるようになっていて、それらの隙間にはスペーサが介在されるようになっていることを要旨とする。
【００１２】
請求項４に記載の発明は、請求項３において、前記各スペーサには前記連結手段を構成する連結ボルトを貫通させるための係合凹部又は透孔が設けられていることを要旨とする。
【００１３】
請求項５に記載の発明は、請求項２〜４のいずれか一項において、前記連結手段は、連結ボルトとナットにより構成され、前記ナットは最も高さ寸法の低い高さ調節レバーの支持板の下面に取り付けられ、前記連結ボルトは、上ハーフの天板に形成されたボルト挿通孔及び高さ調節レバーの支持板に形成された透孔又は凹部を貫通して前記ナットに螺合されるようになっていることを要旨とする。
【００１４】
請求項６に記載の発明は、請求項２〜５のいずれか一項において、各高さ調節レバーの支持板は、横断面が第２ヒンジ軸を中心とする曲率の円弧状に形成されていることを要旨とする。
【発明の効果】
【００１５】
請求項１〜６のいずれか一項に記載の発明は、高さ寸法の異なる各高さ調節部材が第２ヒンジ軸の中心軸線の回りでそれぞれ選択的に回動可能に連結されているので、上ハーフの天板に対する下ハーフの底板の傾き角を等間隔に容易に設定することができる。  
【００１６】
請求項２記載の発明は、各高さ調節部材が第２ヒンジ軸の軸方向の二箇所において回動可能に支持された脚片と、その先端部間に架橋された支持板とによ構成されているため、高さ調節レバーをプレス成型により容易に製造することができる。
【００１７】
請求項３記載の発明は、各高さ調節レバーの先端部の支持板相互間に各調節レバーの積層状態で、同じ寸法の隙間が形成され、各隙間にはスペーサが介在されるようになっている。このため、各高さ調節レバーの支持板を偏平状に形成しても各調節レバーを干渉することなく選択的に回動することができ、調節レバーの製造を容易に行うことができる。又、連結手段を構成する連結ボルトによって各高さ調節レバーの支持板を上ハーフの天板に締め付け固定したときにスペーサによって高さ調節レバーの変形を防止することができる。
【００１８】
請求項４記載の発明は、各スペーサに前記連結手段を構成する連結ボルトを貫通させるための係合凹部又は透孔が設けられているため、スペーサを安定して装着することができる。
【００１９】
請求項５記載の発明は、最も高さ寸法の低い高さ調節レバーの支持板の下面にナットが取り付けられているので、ナットの紛失を防止すことができる。
請求項６記載の発明は、各高さ調節レバーの上端面の支持板が横断面円弧状に形成されているため、各支持板を隙間無しで積層することができ、隙間を埋めるためのスペーサを省略することができる。
【発明を実施するための最良の形態】
【００２０】
以下、本発明を具体化した設置物据付台の一実施形態を図１〜図８にしたがって説明する。
最初に図面について簡単に説明すると、図１は設置物据付台１４の使用状態を示す縦断面図、図２は同じく側面図、図３は設置物据付台１４単体の下ハーフ２１と上ハーフ２３を開放した状態を示す斜視図、図４は第１高さ調節レバー２６、第２高さ調節レバー２７及び第１スペーサ３６の分解斜視図である。又、図５は設置物据付台１４単体の開放状態を示す縦断面図、図６は設置物据付台１４単体の梱包可能な状態を示す縦断面図である。図７は設置物据付台１４を平坦な設置地盤１１の上面に設置した状態を示す縦断面図、図８は据付脚１６、上ハーフ２３、座金４５及び非台乗り脚固定金具４３等を分解して示す斜視図である。
【００２１】
図１に示すように傾き角αの傾斜設置面１１ａを有する設置地盤１１には、ドリル等によって複数（水平方向に二箇所で一箇所のみ図示）の収容穴１１ｂが傾斜設置面１１ａと直交するように穿設され、これらの収容穴１１ｂにはアンカーボルト１２がモルタル等の接着剤によってそれぞれ埋設固定されている。両アンカーボルト１２の上端雄ネジ部１２ａと、この雄ネジ部１２ａに螺合されるナット１３によって、設置物据付台１４が所定位置に取り付けられている。設置物据付台１４の上面には、図２に示すように自動販売機１５の底面に連結された据付脚１６の下端に連結された据付け座１７が連結されている。
【００２２】
次に、前記設置物据付台１４の構成について説明する。
前記設置地盤１１の傾斜設置面１１ａに支持される下ハーフ２１は、図４に示すように板材によって、浅い有底四角箱状に形成されている。この下ハーフ２１は平面四角形状をなす底板２１ａと、底板２１ａの四辺に切り起こし形成された左右一対の側壁２１ｂ，２１ｃと、前後一対の側壁２１ｄ，２１ｅとによって構成されている。この下ハーフ２１の側壁２１ｂ，２１ｃの基端部には第１ヒンジ軸２２を介して上ハーフ２３が上下方向の傾動可能に連結されている。なお、ヒンジ軸２２の外端部には溝が形成され、Ｃ型リング２４によって、第１ヒンジ軸２２が離脱しないようになっている。前記底板２１ａには前記アンカーボルト１２を貫通するための透孔２１ｆが二箇所（図１，５に一箇所のみ図示）に形成されている。
【００２３】
前記下ハーフ２１の側壁２１ｂ，２１ｃの先端部には第２ヒンジ軸２５が前記第１ヒンジ軸２２と平行に貫通支持されている。この第２ヒンジ軸２５には高さ調節部材としての第１高さ調節レバー２６が上下方向の傾動可能に連結されている。同じく前記ヒンジ軸２５には第２高さ調節レバー２７が前記第１高さ調節レバー２６の外側に位置するように往復回動可能に連結されている。前記第２高さ調節レバー２７の外側に位置するように第３高さ調節レバー２８が往復回動可能に連結されている。同様にして、前記ヒンジ軸２５には前記第３高さ調節レバー２８の外側に位置するように第４高さ調節レバー２９及び第５高さ調節レバー３０がそれぞれ往復回動可能に連結されている。
【００２４】
前記第１〜第５高さ調節レバー２６〜３０は、それぞれの高さ寸法が段階的に等ピッチで相違するように構成されている。第１〜第５高さ調節レバー２６〜３０は、ほぼ同様に構成されているので、このうち最も高さ寸法の低い第１高さ調節レバー２６について説明する。
【００２５】
第１高さ調節レバー２６は、図４に示すように前記ヒンジ軸２５に支持される左右一対の脚片２６ａ，２６ｂと、この脚片２６ａ，２６ｂの上端部間に一体に架橋された支承部としての支持板２６ｃとによって構成されている。前記脚片２６ａ，２６ｂには前記ヒンジ軸２５を貫通する透孔２６ｄ，２６ｅが形成され、支持板２６ｃには後述する連結手段を構成する複数（例えば二本）の連結ボルト３４，３５を貫通する透孔２６ｆ，２６ｇが形成されている。前記支持板２６ｃの下面には前記透孔２６ｆ，２６ｇと対応して前記連結ボルト３４，３５を螺合するための連結手段を構成するナット３２，３３が溶接によって固定されている。なお、このナット３２，３３は支持板２６ｃのみに固定されている。
【００２６】
図３及び図７に示すように前記第１〜第５高さ調節レバー２６〜３０の支持板２６ｃ〜３０ｃの間には、積層状態で所定の隙間が形成されるようになっている。これらの隙間には第１〜第４スペーサ３６，３７，３８，３９が取り外し可能に介在されるようになっている。各第１〜第４スペーサ３６〜３９には図４に示すように前記連結ボルト３４，３５を係合するための係合凹部３６ａ〜３９ａが切り欠き形成されている。図３に示すように第２ヒンジ軸２５の外端部及び第１高さ調節レバー２６の内側にも溝が複数箇所に形成され、これらの溝にはＣ型リング３１がそれぞれ係合され、第２ヒンジ軸２５が下ハーフ２１から離脱しないようになっている。
【００２７】
図８に示すように、前記上ハーフ２３の天板２３ａの四辺には、周壁が形成されている。天板２３ａには前記連結ボルト３４，３５を貫通するための前後方向に長いボルト挿通孔としての長孔２３ｂ，２３ｃが形成されている。図１に示すように前記長孔２３ｂ，２３ｃから前記連結ボルト３４，３５を下方に貫通するとともに前記第１高さ調節レバー２６の支持板２６ｃの透孔２６ｆ，２６ｇを貫通して、ナット３２，３３に螺合することにより前記下ハーフ２１と上ハーフ２３を互いに連結するようになっている。
【００２８】
この実施形態では、前記第２ヒンジ軸２５、第１〜第５高さ調節レバー２６〜３０、ナット３２，３３、連結ボルト３４，３５等によって傾き角調節機構４０が構成されている。
【００２９】
次に、図１及び図２及び図８に基づいて、上ハーフ２３に対する自動販売機１５の据付脚１６及び据付け座１７の連結構造について説明する。
図８に示すように前記上ハーフ２３の天板２３ａには、平面四角形状の透孔２３ｄと、この透孔２３ｄに連続するガイド孔２３ｅが形成されている。この透孔２３ｄ、ガイド孔２３ｅと対応して天板２３ａの下面には、案内溝４１ａを有する案内部材４１の両側フランジ部がスポット溶接４２によって取り付けられている。
【００３０】
前記天板２３ａの上面には非台乗り脚固定金具４３が支持され、この脚固定金具４３によって自動販売機１５の据付脚１６と据付け座１７が天板２３ａ上の所望する位置に取り付けられるようになっている。前記脚固定金具４３には長孔状のガイド孔４３ａが形成されるとともに、前記据付脚１６を案内する案内通路４３ｂ及び係合孔４３ｃが切り欠き形成されている。
【００３１】
前記天板２３ａの透孔２３ｄから取付ボルト４４の頭部４４ａを下方に進入して案内部材４１の案内溝４１ａ及びガイド孔２３ｅに沿って、水平移動し取付ボルト４４に座金４５を嵌合する。この取付ボルト４４を脚固定金具４３のガイド孔４３ａを貫通して、座金４６及びナット４７によって脚固定金具４３を前記天板２３ａ上の任意の位置に締め付け固定するようになっている。
【００３２】
天板２３ａの上面には、図示しないがゴム板が接着され、自動販売機の据付け座１７の下面の天板２３ａに対する片当たりを緩和するようになっている。
次に、前記のように構成した設置物据付台１４を用いて設置地盤１１の傾斜設置面１１ａに自動販売機１５の据付脚１６及び据付け座１７を据え付ける作業について説明する。
【００３３】
設置地盤１１の傾斜設置面１１ａの傾き角αに応じて、第１〜第５高さ調節レバー２６〜３０のいずれを用いるかを選択する。例えば、傾き角αが最も大きい場合には図１に示すように第１高さ調節レバー２６のみを用いて第２〜第５高さ調節レバー２７〜３０は図１に示すように転倒した不使用状態にしておく。第１高さ調節レバー２６を図１に示すように垂直状態に回動してその支持板２６ｃを上ハーフ２３の天板２３ａの下面に接触させる。このとき、支持板２６ｃの透孔２６ｆ（２６ｇ）が天板２３ａの長孔２３ｂ（２３ｃ）と対応する。この状態で連結ボルト３４，３５を、長孔２３ｂ（２３ｃ）、透孔２６ｆ（２６ｇ）からナット３２（３３）にそれぞれ螺合する。これによって下ハーフ２１と上ハーフ２３が所定の傾き角αで連結される。
【００３４】
その後、天板２３ａの透孔２３ｄから取付ボルト４４の頭部４４ａを挿入し、ガイド孔２３ｅに沿って所望する位置に移動し、頭部４４ａを案内溝４１ａに保持する。
次に、前記取付ボルト４４に座金４５を嵌合するとともに、取付ボルト４４に脚固定金具４３のガイド孔４３ａを嵌合し、ナット４７を取付ボルト４４の上部に螺合する。そして、脚固定金具４３の係合孔４３ｃの位置を自動販売機１５の据付脚１６の据え付け位置に合わせて移動調節し、据付脚１６を案内通路４３ｂから係合孔４３ｃに移動して係合する。この位置決めが終了したら前記ナット４７を脚固定金具４３の上面に締め付け固定する。このようにして、一つの据付脚１６及び据付け座１７が設置物据付台１４によって所定位置に据え付け固定される。
【００３５】
なお、自動販売機１５の他方の据付脚１６についても設置物据付台１４を用いて据え付け作業を行う。又、自動販売機１５の奥側の左右両側の据付脚１６は、前記脚固定金具４３のみを用いて据え付け作業が行われる。
【００３６】
上記実施形態の設置物据付台によれば、以下のような効果を得ることができる。
（１）上記実施形態では、下ハーフ２１の基端部に第１ヒンジ軸２２によって、上ハーフ２３を回動可能に連結し、下ハーフ２１の先端部に第２ヒンジ軸２５によって第１〜第５高さ調節レバー２６〜３０を前記第１ヒンジ軸２２の中心軸線と平行なヒンジ軸２５の同一中心軸線の回りで選択的に回動可能に支持した。又、前記第１〜第５高さ調節レバー２６〜３０のいずれか一つを用いて上ハーフ２３の天板２３ａに対する下ハーフ２１の底板２１ａの傾き角αを調整するようにした。このため、等角度で例えば五段階の傾き角αの調整を容易に行うことができる。この傾き角αは例えば０°、３．７５°、７．５°、１１．２５°及び１５°というように等角に設定することができる。
【００３７】
（２）上記実施形態では、第１〜第５高さ調節レバー２６〜３０の支持板２６ｃ〜３０ｃの間に隙間を設け、各隙間の間に第１〜第４スペーサ３６〜３９を取り外し可能に介在するようにした。このため、第１〜第４スペーサ３６〜３９を取り外した状態で、第１〜第５高さ調節レバー２６〜３０をそれぞれ使用位置に容易に回動することができる。又、前記支持板２６ｃ〜３０ｃを偏平状に形成すればよいので、第１〜第５高さ調節レバー２６〜３０の製造を容易に行うことができる。さらに、使用された第１〜第５高さ調節レバー２６〜３０の個数が複数の場合には、それらの高さ調整レバーの支持板２６ｃ〜３０ｃの隙間に第１〜第４スペーサ３６〜３９の少なくとも一つを介在して連結ボルト３４，３５による上ハーフ２３と第１高さ調節レバー２６の締め付け動作時に支持板２６ｃ〜３０ｃが変形するのを防止することができる。
【００３８】
（３）上記実施形態では、天板２３ａに対して取付ボルト４４を上向きに貫通する透孔２３ｄ及びガイド孔２３ｅを設けて天板２３ａの上面に例えば角形の座金４５を支持し、脚固定金具４３を載置した状態で、前記取付ボルト４４に螺合されたナット４７により脚固定金具４３を締め付け固定するようにしている。このため、脚固定金具４３の配置位置を自由に変更することができる。又、取付ボルト４４を貫通するガイド孔２３ｅが一箇所となるので、天板２３ａの板厚寸法を薄く設定することができ、この結果、設置物据付台１４の全体の重量が軽量化され、取り扱いが容易となり設置作業も容易となる。又、一本の取付ボルト４４を使用するのみでよいため、天板２３ａの面積を少なくすることもでき、この点からも全体の重量を軽量化することができる。
【００３９】
ところで、従来の設置物据付台は、天板に対しＪＩＳ規格でＭ１０のネジ孔を複数箇所に形成してボルトによって前述した非台乗り脚固定金具４３を締め付け固定するようになっていた。このため、天板２３ａの厚さ寸法を例えば６ｍｍ程度に厚くする必要があり、重量が増大するという問題があった。又、従来の設置物据付台においては、脚固定金具４３に代えてボルト挿通孔を二箇所に形成した非台乗り脚固定金具を用いた場合には、ボルトを二本用いて締め付けることになるとともに、取付位置を変更するために複数箇所にボルトの挿通孔を形成する必要がある。このため、天板の上面の面積を大きくしなければならず、重量が増大するという問題があったが、本発明ではこれらの問題も解消することができる。
【００４０】
（４）上記実施形態では、第１〜第５高さ調節レバー２６〜３０の少なくとも第１高さ調節レバー２６と、上ハーフ２３の天板２３ａが連結ボルト３４，３５をナット３２，３３に螺合することによって連結されているので、下ハーフ２１と上ハーフ２３の連結強度を強固にすることができる。又、下ハーフ２１の底板２１ａがアンカーボルト１２とナット１３によって設置地盤１１の傾斜設置面１１ａに固定されている。従って、地震等によって自動販売機１５が転倒しようとしたとき、すなわち、図１のＰ矢印方向に転倒しようとしたときに自販機の転倒事故を未然に防止することができる。
【００４１】
なお、上記実施形態は以下のように変更してもよい。
○  図９に示すように前記第１〜第５高さ調節レバー２６〜３０の支持板２６ｃ〜３０ｃを横断面が円弧状になるように形成してもよい。各高さ調節レバー２６〜３０の支持板２６ｃ〜３０ｃは、横断面が第２ヒンジ軸２５を中心とする曲率の円弧状に形成されている。この場合には、前記スペーサ３６〜３９を省略することができる。
【００４２】
○  連結ボルト３４，３５の本数は一本でもよいし、連結ボルトに代えて連結ピン或いはその他の連結手段を用いてもよい。
○  高さ調節レバー２６〜３０の形状を台形状又は円弧状のアーチ状にしたり、その他任意の形状に変更したりしてもよい。
【００４３】
○  高さ調節レバーの支持板２６ｃ〜３０ｃに設けた透孔に代えて凹部を形成してもよい。
○  前記ナット３２，３３を支持板２６ｃから分離してもよい。この場合、いずれか一つの高さ調節レバーのみを使用して下ハーフ２１と上ハーフ２３を連結するようにしてもよい。
【００４４】
○  各スペーサ３６〜３９の係合凹部３６ａ〜３９ａ、３６ｂ〜３９ｂに代えて透孔を形成してもよい。
○  前記下ハーフ２１の透孔２１ｆを底板２１ａの前後方向の中心に形成してもよい。
【００４５】
（定義）この明細書において、下ハーフの底板及び上ハーフの天板は、板状のもの以外に格子状のものや枠状のものも含むものとする。
【図面の簡単な説明】
【００４６】
【図１】この発明の設置物据付台の一実施形態を示す使用状態の縦断面図。
【図２】同じく使用状態の設置物据付台の側面図。
【図３】設置物据付台の上ハーフを開放した斜視図。
【図４】第１高さ調節レバー、第２高さ調節レバー及び第１スペーサを示す斜視図。
【図５】設置物据付台の開放状態を示す縦断面図。
【図６】設置物据付台の閉鎖状態を示す縦断面図。
【図７】設置物据付台の使用状態を示す縦断面図。
【図８】上ハーフ及び脚固定金具を分解して示す斜視図。
【図９】この発明の傾き角調節機構の別例を示す部分縦断面図。
【図１０】従来の設置物据付台を示す側面図。
【符号の説明】
【００４７】
α…傾き角、１１…設置地盤、１４…設置物据付台、２１…下ハーフ、２１ａ…底板、２２…第１ヒンジ軸、２３…上ハーフ、２３ａ…天板、２５…第２ヒンジ軸、２６〜３０…高さ調節レバー、２６ａ，２６ｂ…脚片、２６ｃ〜３０ｃ…支承部としての支持板、２６ｆ，２６ｇ…透孔、３２，３３…連結手段を構成するナット、３４，３５…連結手段を構成する連結ボルト、３６〜３９…スペーサ、３６ａ〜３９ａ，３６ｂ〜３９ｂ…係合凹部、４０…傾き角調節機構。
【図１】
2005251005.tif 000003
【図２】
2005251005.tif 000004
【図３】
2005251005.tif 000005
【図４】
2005251005.tif 000006
【図５】
2005251005.tif 000007
【図６】
2005251005.tif 000008
【図７】
2005251005.tif 000009
【図８】
2005251005.tif 000010
【図９】
2005251005.tif 000011
【図１０】
2005251005.tif 000012